(57)【要約】【課題】本発明は、使用者の選択によって映像伝送が制御できる移動通信端末の画像通話方法を提供するためのものである。【解決手段】本発明は、移動通信端末に画像通話呼が着信すれば、着信した画像通話呼の発信者番号を検出して、検出された電話番号がフォンブックに登録された電話番号であれば、該当電話番号に対応して設定された画像通話伝送映像を把握して、基本代替映像、個別代替映像、または、実際撮影映像を伝送する。そして、前記検出された電話番号がフォンブックに登録された番号でなければ、画像通話代替映像伝送モードが設定されたか否かを確認して、画像通話代替映像伝送モードが設定されていれば、基本代替映像を画像通話相手に伝送することによって、使用者が画像通話時に伝送される映像を決定することができ、困難な状況に自身または周辺の映像が伝送されることを防止することができる。【選択図】図４
2007082219.tif 000002
【特許請求の範囲】
【請求項１】
移動通信端末の画像通話方法であって、
画像通話呼着信の際、発信者番号を検出する過程と、
検出された発信者番号がフォンブックに登録された電話番号であるか否かを確認する過程と、
検出された発信者番号がフォンブックに登録された電話番号であれば、画像通話実際撮影映像と画像通話代替映像のうち、前記電話番号に対応してあらかじめ設定された映像を把握して、画像通話連結の際、該当映像を画像通話対象に伝送する過程と、
を含むことを特徴とする画像通話方法。
【請求項２】
前記検出された発信者番号がフォンブックに登録された電話番号でなくて、画像通話代替映像伝送モードが設定されていれば、基本代替映像を画像通話対象に伝送する過程を更に含むことを特徴とする請求項１記載の画像通話方法。
【請求項３】
前記画像通話代替映像は、個別代替映像と基本代替映像を含むことを特徴とする請求項１記載の画像通話方法。
【請求項４】
前記電話番号に対応してあらかじめ設定された映像を把握して、画像通話連結の際、該当映像を画像通話対象に伝送する過程は、
前記検出された電話番号に対応してあらかじめ設定された画像通話伝送映像を把握するステップと、
前記把握結果、前記検出された電話番号に対応して実際撮影映像が設定されていれば、使用者入力によって画像通話を始めて、実際撮影される映像を画像通話相手に伝送するステップと、
前記把握結果、前記検出された電話番号に対応して基本代替映像が設定されていれば、使用者入力によって画像通話を始めて、前記基本代替映像を画像通話相手に伝送するステップと、
前記把握結果、前記検出された電話番号に対応して個別代替映像が設定されていれば、使用者入力によって画像通話を始めて、前記個別代替映像を画像通話相手に伝送するステップと、
を含むことを特徴とする請求項３記載の画像通話方法。
【請求項５】
前記個別代替映像は、あらかじめ格納された多数の代替映像のうち、前記電話番号に対応して使用者により選択された１つの代替映像であることを特徴とする請求項４記載の画像通話方法。
【請求項６】
前記代替映像は、停止画像、動画像、アニメーションを含み、使用者により生成されて格納されることを特徴とする請求項５記載の画像通話方法。
【請求項７】
前記移動通信端末は、ＳＩＭ（Subscriber Identity Module）カードを備え、前記フォンブックと前記フォンブックに登録された電話番号に対応して設定された画像通話代替映像を前記ＳＩＭカードに格納することを特徴とする請求項５記載の画像通話方法。
【請求項８】
ＳＩＭ（Subscriber Identity Module）カードを備える移動通信端末の画像通話方法であって、
前記ＳＩＭカードに格納されたフォンブックに登録された任意の電話番号に対応して、使用者選択によって、画像通話実際撮影映像、基本代替映像及び個別代替映像のうち、１つを設定して、前記任意の電話番号と関連した設定値と代替映像を前記ＳＩＭカードに格納するステップと、
画像通話呼着信の際、発信者番号を検出するステップと、
検出された発信者番号がフォンブックに登録された電話番号であるか否かを確認するステップと、
検出された発信者番号がフォンブックに登録された電話番号であれば、画像通話実際撮影映像と基本代替映像と個別代替映像のうち、前記電話番号に対応してあらかじめ設定された映像を把握して、画像通話連結の際、該当映像を画像通話対象に伝送するステップと、
を含むことを特徴とする画像通話方法。
【発明の詳細な説明】
【技術分野】
【０００１】
本発明は、移動通信端末の画像通話に関し、特に、画像通話時に代替映像を伝送する方法に関する。
【背景技術】
【０００２】
ＷＣＤＭＡ（Wideband Code Division Multiple Access）等、移動通信技術が発展することにつれて、移動通信システムは音声通話サービスの他にも画像通話サービスも提供することになった。画像通話は、通話時に音声と共に移動通信端末に備えられたカメラを通じて撮影される動画像もリアルタイムで同時に伝送するサービスであって、通話している使用者自身の姿や周辺の姿を通話相手に通話と同時に伝送することによって、親密性、一致感等を提供することができる。
【０００３】
しかしながら、使用者の状況によって自身や周辺の映像を伝送したくない通話相手が存在することがある。そして、知らない番号で画像通話が着信する場合にも通話相手を知らないため、自身または周辺の映像を伝送することが負担になる場合もある。また、画像通話は、使用者が希望しない瞬間、即ち、個人的な空間にいたり、保安を要する空間にいる瞬間に使用者の周辺の状況や使用者自身の映像が伝送されることが問題になる場合もある。したがって、使用者が希望しない時には映像の伝送が防止できる映像通信方式が必要である。そして、画像通話呼が着信する場合、発信者を確認して周辺映像の伝送が選択的に決定できる映像通信方式が必要である。
【０００４】
一方、画像通信を支援する移動通信端末中の１つであるＷＣＤＭＡ（Wideband Code Division Multiple Access）方式の端末は、ＳＩＭ（Subscriber Identity Module）カードを具備する。ＳＩＭカードは、使用者認証情報及び通信暗号化情報、そしてフォンブックのような各種使用者情報の格納所として使われるスマートカードの１つである。一般に、ＳＩＭカードを備える移動通信端末（Mobile Equipment）は、前記ＳＩＭカードと結合されて１つの移動基地局（Mobile Station）を構成する。移動通信端末は、ＳＩＭカードに格納された認証情報と暗号化情報を通じて移動通信網に接続することができ、通信を遂行し、フォンブックや短文メッセージのようにＳＩＭカードに格納されている使用者情報を照会し、利用することができる。
【０００５】
このように、ＳＩＭカードを用いて認証及び通信暗号化機能、フォンブックのような使用者情報格納機能を分離したので、１つのＳＩＭカードを複数の移動通信端末に装着して使用することもでき、１台の移動通信端末に複数のＳＩＭカードを入れ替えて使用することもできる。
【０００６】
前記したＳＩＭカードに格納された情報を利用して使用者が希望しない時には映像の伝送が防止できる映像通信方式を提供するならば、使用者の便利性を増進させることができるはずである。
【発明の開示】
【発明が解決しようとする課題】
【０００７】
本発明の目的は、使用者の選択によって映像伝送が制御できる移動通信端末の画像通話方法を提供することにある。
【０００８】
本発明の他の目的は、画像通話の際、カメラを通じて撮影される映像でない、他の映像が伝送できる画像通話方法を提供することにある。
【課題を解決するための手段】
【０００９】
上記の目的を達成するために本発明は、画像通話呼着信の際、発信者番号を検出する過程と、検出された発信者番号がフォンブックに登録された電話番号であるか否かを確認する過程と、検出された発信者番号がフォンブックに登録された電話番号であれば、画像通話実際撮影映像と画像通話代替映像のうち、前記電話番号に対応してあらかじめ設定された映像を把握して、画像通話連結の際、該当映像を画像通話対象に伝送する過程と、を含むことを特徴とする。
【発明の効果】
【００１０】
前述したように、本発明は、移動通信端末に画像通話呼が着信すれば、着信した画像通話呼の発信者番号を検出して、検出された電話番号がフォンブックに登録された電話番号であれば、該当電話番号に対応して設定された画像通話伝送映像を把握して、基本代替映像または個別代替映像または実際撮影映像を伝送する。そして、前記検出された電話番号がフォンブックに登録された番号でなければ画像通話代替映像伝送モードが設定されたか否かを確認して、画像通話代替映像伝送モードが設定されていれば基本代替映像を画像通話相手に伝送することによって、使用者が画像通話の際、伝送される映像を決定することができ、困難な状況には自身または周辺の映像が伝送されることを防止することができる。
【発明を実施するための最良の形態】
【００１１】
以下、添付した図面を参照しつつ本発明に係る好ましい一実施形態を詳細に説明する。図面において、同一な構成要素に対しては、たとえ他の図面に表示されてもできる限り同一な参照番号及び符号を与えていることに留意しなければならない。また、本発明の説明において、関連した公知機能あるいは構成に対する具体的な説明が本発明の要旨を曖昧にすることができると判断される場合、その詳細な説明は適宜省略する。
【００１２】
まず、図１を参照して、本発明が適用される移動通信端末の構成を説明する。図１は、本発明が適用される移動通信端末のブロック構成図である。
【００１３】
図１に示すように、本発明の一実施形態に係る移動通信端末１００は、制御部１１、メモリ部１３、映像処理部１５、カメラ１７、表示部１９、ベースバンド処理部２５、ＲＦ（Radio Frequency）モジュール２１及び音声処理部２３を含んでなされる。
【００１４】
前記制御部１１は、移動通信端末１００の全般的な動作を制御する。
【００１５】
前記ＲＦモジュール２１は、アンテナを介して移動通信基地局と無線信号を送・受信するが、ベースバンド処理部１９を通じて制御部１１から入力される送信する信号を変調してＲＦ信号をアンテナを介して送信し、アンテナを介して受信されるＲＦ信号を復調してベースバンド処理部１９を通じて制御部１１に提供する。ベースバンド処理部１９は、ＲＦモジュール２１と制御部１１との間に送・受信されるベースバンド信号を処理する。
【００１６】
制御部１１と連結された前記音声処理部２３、音声処理部２３に接続されたマイク（ＭＩＣ）及びスピーカ（ＳＰＫ）は、電話通話及び音声録音に使われる。
【００１７】
前記表示部１９は、各種画像情報と基地局から受信、または、メモリ部１３に格納されている画像を制御部１１の制御により画面上にディスプレイする。
【００１８】
前記カメラ１７は、イメージセンサーにより得られる画像フレームを映像処理部１５に出力する。前記映像処理部１５は、制御部１１の制御下に前記カメラ１７から入力される映像フレームを前記表示部１５にディスプレイ可能な映像データに変換して前記表示部１９に出力する。
【００１９】
前記メモリ部１３は、制御部１１の処理及び制御のためのプログラム、参照データ、更新可能な各種保管用データ及びフォンブックデータなどを格納し、制御部１１のワーキングメモリ（working memory）として提供される。そして、前記メモリ部１３は、本発明の一実施形態によって画像通話代替映像伝送モードと画像通話伝送映像設定と関連したプログラムデータを格納する。そして、メモリ部１３は、基本代替映像と個別代替映像設定が可能な多数の代替映像を格納する。
【００２０】
前記画像通話代替映像伝送モードとは、本発明の一実施形態によって画像通話時にカメラを通じて撮影された定常映像の代わりにあらかじめ定まった任意の映像を画像通信相手に伝送するモードであって、着信した画像通話呼の発信者番号が検出できなかったりフォンブックに登録されていない電話番号である場合、画像通話時に基本代替映像を通話相手に伝送する。
【００２１】
前記画像通話代替映像設定は、本発明の実施形態によって画像通話時に伝送する映像をフォンブックに登録された電話番号の各々に対応するように設定することで、使用者選択によって、基本代替映像、個別代替映像及び実際撮影映像は、画像通話伝送映像中の１つの映像が設定される。前記基本代替映像は、基本代替映像としてあらかじめ定まった１つの映像であり、前記個別代替映像はあらかじめ格納された多数の代替映像のうち、使用者の選択によって設定される代替映像である。前記代替映像は、停止画像、動画像、アニメーションなどとなることができ、前記個別代替映像に設定できる多数の代替映像は、使用者により生成されることもできる。例えば、自身や風景に対する停止画像を撮影したり、動画像を撮影して代替映像に格納することができる。前記実際撮影映像は、画像通話時にリアルタイムで撮影される映像である。
【００２２】
上記のように構成される移動通信端末１００において、前記画像通話代替映像伝送モードと画像通話伝送映像設定過程に従う移動通信端末１００の制御部１１の動作過程を図２と図３に図示した。図２は本発明の一実施形態により画像通話代替映像設定過程に係る移動通信端末１００の動作の流れ図であり、図３は本発明の他の実施形態によって画像通話代替映像設定過程に係る移動通信端末１００の動作の流れ図である。
【００２３】
図２に示すように、移動通信端末１００の制御部１１は、ステップ１０１で、使用者から画像通話代替映像伝送モード設定要求があれば、ステップ１０３に進行して画像通話代替映像伝送モードを設定する。
【００２４】
そして、フォンブックに登録された電話番号に対応する画像通話伝送映像を設定するために、図３を参照して、移動通信端末１００の制御部１１はフォンブック編集モード下のステップ１１１で登録された任意の電話番号に画像通話代替映像設定要求があれば、ステップ１１３に進行し、画像通話代替映像設定要求がなければステップ１１５に進行する。制御部１１は、前記ステップ１１１で使用者から登録された任意の電話番号に対応して画像通話代替映像設定要求がないので、該当電話番号に画像通話時に実際撮影映像を伝送するように設定し、動作過程を終了する。
【００２５】
一方、制御部１１は、ステップ１１３で、個別代替映像設定要求があるか否かを確認して、個別代替映像設定要求があればステップ１１７に進行し、個別代替映像設定要求がなければステップ１２１に進行する。ステップ１２１で、制御部１１は使用者から個別代替映像設定要求がないことによって、該当電話番号に対応して基本代替映像を設定し、動作過程を終了する。ステップ１１７で、制御部１１は、前記ステップ１１３で、使用者の個別代替映像設定要求によってあらかじめ格納された多数の代替映像リストを提供し、ステップ１１９に進行する。ステップ１１９で、制御部１１は、使用者入力によって選択された任意の代替映像を該当電話番号の個別代替映像に設定し、動作過程を終了する。
【００２６】
上記のように画像通話代替映像伝送モードが設定されたり、画像通話伝送映像が設定された後、画像通話呼が着信すれば、制御部１１は着信した画像通話呼の発信者番号を検出する。検出された電話番号がフォンブックに登録された電話番号であれば、該当電話番号に対応して設定された画像通話伝送映像を把握して、基本代替映像、個別代替映像、または、実際撮影映像を伝送する。そして、前記検出された電話番号がフォンブックに登録された番号でなければ、画像通話代替映像伝送モードが設定されたか否かを確認して、画像通話代替映像伝送モードが設定されていれば、基本代替映像を画像通話相手に伝送する。本発明の実施形態に係る移動通信端末１００のこのような動作過程を図４に図示した。図４は、本発明の一実施形態により画像通話代替映像を伝送する過程に係る移動通信端末１００の動作の流れ図である。
【００２７】
図４を参照して、制御部１１は、ステップ２０１で、画像通話呼着信及び発信者番号を検出すればステップ２０３に進行する。ステップ２０３で、制御部１１は検出された発信者番号がフォンブックに登録された電話番号であるか否かを確認して、フォンブックに登録された電話番号であればステップ２０５に進行し、フォンブックに登録された電話番号でなければステップ２０７に進行する。前記ステップ２０３の確認結果、着信した画像通話呼の発信者番号がフォンブックに登録された電話番号であれば、ステップ２０５で、制御部１１は前記発信者番号が実際撮影映像が設定された電話番号であるか否かを確認する。確認結果、制御部１１は、前記発信者番号に対応して実際撮影映像が設定されていれば、Ａに進行してステップ２１５に進行する。ステップ２１５で、制御部１１は、使用者入力によって画像通話を始めて、カメラを駆動して実際撮影映像を画像通話相手に伝送し、ステップ２１７に進行する。
【００２８】
一方、前記ステップ２０９で、前記発信者番号に対応して実際撮影映像が設定されていなければステップ２０９に進行する。ステップ２０９で、制御部１１は検出された電話番号が個別代替映像が設定された電話番号であるか否かを確認して、個別代替映像が設定された電話番号であればステップ２１１に進行し、個別代替映像が設定された電話番号でなければステップ２１３に進行する。ステップ２１１で、制御部１１は、前記ステップ２０９で検出された電話番号に対応して、個別代替映像が設定されたことを確認すれば、前記使用者入力によって画像通話を始めて、検出された電話番号に対応して設定された個別代替映像を伝送し、ステップ２１７に進行する。ステップ２１３で、制御部１１は、前記ステップ２０９で検出された電話番号に対応して基本代替映像が設定されたことを確認すれば、使用者入力によって画像通話を始めて、基本代替映像を伝送し、ステップ２１７に進行する。
【００２９】
一方、前記ステップ２０３での確認結果、着信した画像通話呼に対する発信者番号がフォンブックに登録された番号でなければ、制御部１１は、ステップ２０７で画像通話代替映像伝送モードが設定されたか否かを把握する。把握結果、制御部１１は、移動通信端末１００に画像通話代替映像伝送モードが設定されていれば、前記ステップ２１３に進行して、使用者入力によって画像通話を始めて、基本代替映像を画像通話相手に伝送し、ステップ２１７に進行する。そして、制御部１１は、移動通信端末１００に画像通話代替映像伝送モードが設定されていなければステップ２１５に進行して、使用者入力によって画像通話を始めて、実際撮影映像を伝送し、ステップ２１７に進行する。
【００３０】
ステップ２１７で、制御部１１は、画像通話終了を感知すれば、画像通話を終了して動作過程を終了する。
【００３１】
前記したように、本発明は、画像通話呼が着信すれば、制御部１１が着信した画像通話呼の発信者番号を検出して、検出された電話番号がフォンブックに登録された電話番号であれば、該当電話番号に対応して設定された画像通話伝送映像を把握して、基本代替映像、個別代替映像、または、実際撮影映像を伝送する。そして、前記検出された電話番号がフォンブックに登録された番号でなければ、画像通話代替映像伝送モードが設定されたか否かを確認して、画像通話代替映像伝送モードが設定されていれば、基本代替映像を画像通話相手に伝送することによって、使用者が画像通話時に伝送される映像を決定することができ、困難な状況に自身または周辺の映像が伝送されることを防止することができる。
【００３２】
前述した本発明の説明では、具体的な実施形態に関し説明したが、種々なる変形を本発明の範囲から外れないで実施することができる。前記した本発明に係るこの実施形態では、前記フォンブック情報が前記メモリ部１３に格納され、本発明の実施形態によって設定された基本代替映像、個別代替映像、または、メモリ部１３に格納されることを例に挙げた。しかしながら、ＷＣＤＭＡ（Wideband Code Division Multiple Access）端末のようにＳＩＭ（Subscriber Identity Module）カードを具備する移動通信端末の場合、ＳＩＭカードにフォンブック情報を格納し、本発明によって前記フォンブックに登録された電話番号に対応して設定された基本代替映像、個別代替映像及び設定値を前記ＳＩＭカードにフォンブックと共に格納するように構成することができる。また、着信した画像通話呼と関連してフォンブックに未登録の発信者番号が検出されたり、発信者番号が検出できない場合、基本代替映像を伝送する画像通話代替映像伝送モード設定に対するデータも前記ＳＩＭカードに格納されるように構成することができる。
【００３３】
上記のように、本発明に係る実施形態を具現すれば、使用者が画像通話時に伝送される映像を決定することができ、困難な状況に自身または周辺の映像が伝送されることが防止できることはもちろんであり、前記ＳＩＭカードを他の移動通信端末に装着する場合にも、本発明によってフォンブックに登録された電話番号に対応する代替映像の設定と画像通話代替映像伝送モード設定がそのまま維持できるという効果が発生することができる。
【００３４】
したがって、本発明の範囲は、説明された実施形態によらず、特許請求範囲と特許請求範囲の均等なものにより定めるべきである。
【図面の簡単な説明】
【００３５】
【図１】本発明が適用される移動通信端末のブロック構成図である。
【図２】本発明の一実施形態により画像通話代替映像設定過程に係る移動通信端末の動作の流れ図である。
【図３】本発明の他の実施形態により画像通話代替映像設定過程に係る移動通信端末の動作の流れ図である。
【図４】本発明の一実施形態により画像通話代替映像を伝送する過程に係る移動通信端末の動作の流れ図である。
【符号の説明】
【００３６】
１１    制御部
１３    メモリ部
１５    映像処理部
１７    カメラ
１９    表示部
２１    ＲＦモジュール
２３    音声処理部
２５    ベースバンド処理部
１００    移動通信端末
【図１】
2007082219.tif 000003
【図２】
2007082219.tif 000004
【図３】
2007082219.tif 000005
【図４】
2007082219.tif 000006